(57)【要約】      （修正有）【課題】歯及び歯茎を傷めることがなく、歯ブラシを動かすストロークが大きくならないように制限し、かつ老朽化した歯ブラシ頭部のみを交換する手段を講じたはブラシの提供。【解決手段】歯ブラシの柄の部分を通常の歯ブラシよりも短くし、歯ブラシ頭部１と柄の握り手部分２を分離嵌合し、歯ブラシ頭部が柄の握り手部分に対し柄の長手方向に摺動させること、及びの握り手部分から歯ブラシ頭部を差し替え交換できる構造を有し、柄の握り手部分に歯ブラシ頭部を着脱するための取り付け口を設ける。【選択図】図２
2012035019.tif 000002
【特許請求の範囲】
【請求項１】
歯ブラシの柄の部分の構造に関して、歯ブラシを手全体で強く握らせないようにするため、歯ブラシの柄の部分が通常の歯ブラシよりも短く、基本的には柄を親指と人差し指で支え、必要に応じて中指で補佐する程度に短く形成し、柄の長手方向に摺動させることを特徴とする指先歯ブラシにおいて、歯ブラシ頭部と柄の握り手部分を分離勘合し、歯ブラシ頭部が柄の握り手部分に対し、柄の長手方向に摺動することを特徴とする指先歯ブラシ
【請求項２】
請求項１の指先歯ブラシにおいて、柄の握り手部分から歯ブラシ頭部を差し替え交換できる構造を有し、柄の握り手部分に歯ブラシ頭部を着脱するための取り付け口を設けることを特徴とする指先歯ブラシ
【発明の詳細な説明】
【技術分野】
【０００１】  この発明は、歯を磨く際に、歯及び歯茎の損傷を和らげるとともに、歯の一本一本を着実に磨き、歯と歯の間の歯垢を確実に除去するための歯ブラシの柄の構造に係る技術に関するものである。
【背景技術】
【０００２】  従来、握りやすいことを主眼とする歯ブラシが主体で、歯ブラシの柄の部分が長く、かつ力がかかるように指止め部が形成され、すべらないように工夫されている。
歯ブラシの柄の部分を握り締めて、指止め部に力を入れて磨くことにより、結果的に歯ブラシの先端に必要以上の力が加わり、その行為を日々繰り返すことにより、歯及び歯茎を次第に損傷する状況であった。
【発明の開示】
【発明が解決しようとする課題】
【０００３】  従来の柄の長い歯ブラシを使用することにより、次のような問題点があった。
（１）無意識に歯ブラシの柄の部分を握り締めて磨くことにより、結果的に歯ブラシの先端に必要以上の力が加わり、歯及び歯茎を傷めることとなっていた。
（２）歯ブラシを動かすストロークが大きくなり、歯の表面をいたずらに磨くだけで、歯と歯の間又は歯と歯茎の間に挟まった歯垢を充分に除去することができない状況になっていた。
（３）さらに、手で握り締める構造であることにより、前記２項の不具合を、磨く本人に意識させにくいものとなっていた。
これらの不具合を解決する１つの手段として、特願２００９−２１６１９９および特願２０１０−１１６７３０が出願されている。しかしながら、いずれの場合においても、歯ブラシを長期間使用し、ブラシの部分が老朽したときに歯ブラシ全体を捨てることになる。そこで、歯ブラシ頭部が柄の握り手部分に対し、柄の長手方向にこきざみに摺動し、かつ老朽化した歯ブラシ頭部のみ交換する手段を講じる必要がある。
【課題を解決するための手段】
【０００４】  本願はこれを達成するために考案したもので、▲１▼歯ブラシ頭部と柄の握り手部分を分離勘合し、歯ブラシ頭部が柄の握り手部分に対し、柄の長手方向に摺動させること、及び▲２▼柄の握り手部分から歯ブラシ頭部を差し替え交換できる構造を有し、柄の握り手部分に歯ブラシ頭部を着脱するための取り付け口を設けるものである。
【発明の効果】
【０００５】  本発明により、次のような効果が得られる。
（１）基本的には柄の握り手部分を親指と人差し指で支え、必要に応じて中指で補佐する程度の力で歯ブラシの柄を支えるため、歯ブラシの先端に必要以上の力が加わることを防止し、歯及び歯茎を傷めることを軽減することができる。
（２）基本的には柄の握り手部分に対し、歯ブラシ頭部を柄の長手方向に摺動させ、摺動部分の摺動距離を一本の歯の横の長さにほぼ近い３〜６ｍｍ程度とするため、歯ブラシを動かすストロークを意識的に小さくする強制力が働き、小刻みなストロークとなるため、歯と歯の間又は歯と歯茎の間に挟まった歯垢を充分に除去することができる。
（３）歯ブラシのブラシが老朽した場合に、歯ブラシ全体を捨てることなく歯ブラシ頭部のみ交換することにより、経費を削減することができる。
（４）本願の歯ブラシを使用することにより、小さな力で小刻みに磨く習慣が身につき、自然に正しい歯の磨き方を意識させることができる。
歯医者に行くと、歯の正しい磨き方として「歯ブラシを軽く指で押さえて、歯の一本一本を小刻みに磨きなさい。」と指導されるが、現実には実行する人が少なく、従来の歯ブラシの柄が長いことから、必然的に手で握り、指止め部に力を入れて強く磨く人が多い。今後は本願の歯ブラシを普及させることにより、正しい歯の磨き方を波及させる必要がある。
【発明を実施するための最良の形態】
【０００６】  以下、本発明の指先歯ブラシの最良の形態について、図面を参照して説明する。
【実施例１】
【０００７】  図１は、歯ブラシの柄の握り手部分を親指と人差し指で支えた状況を示す斜視図である。
１は歯ブラシ頭部、２は柄の握り手部分、３は親指、４は人指し指、５は中指である。【０００８】  図２は、図１の歯ブラシを垂直面で切り取った断面図を示す。
１は歯ブラシ頭部、２は柄の握り手部分である。【０００９】  図３は、歯ブラシ頭部を示す斜視図である。歯ブラシのブラシが老朽化した場合に、この部分のみ交換することができる。【００１０】  図４は、柄の握り手部分本体を示す斜視図である。
６は柄の握り手部分本体、７は摺動部分、８は歯ブラシ頭部を着脱するための取り付け口、９は取り付け口の蓋である。
歯ブラシ頭部を交換する場合は、取り付け口の蓋９を右に開き、古い歯ブラシ頭部を外し、引き続き新しい歯ブラシ頭部を装着した後、取り付け口の蓋９を左へ移動して取り付け口を閉める。こうすることにより、歯ブラシ頭部と柄の握り手部分は摺動部分７で相互に摺動させることができる。
【産業上の利用可能性】
【００１１】  本発明により、従来既成事実とされている長い柄の歯ブラシを、従来にない短い歯ブラシにするとともに、柄の部分に摺動部分を設けることにより、従来とは全く違った新しい歯ブラシの概念が生まれ、顧客の興味をそそるとともに、材料の節約につながり、歯ブラシ業界の産業の発展に寄与することができる。
また、ブラシが老朽化した場合は、歯ブラシ頭部のみを交換して使用することができることから、顧客にとって経費削減につながり、満足感が高まる。
さらに、本願の歯ブラシを使用することにより、歯医者の指導する正しい歯の磨き方である「歯ブラシを軽く指で押さえて、歯の一本一本を小刻みに磨くこと」が自然に身につき、習慣として正しい歯の磨き方を意識させることができることから、徐々に顧客の満足度が高まり、新たな産業の育成に役立ち、産業上の利用可能性が極めて高いものである。
【図面の簡単な説明】
【００１２】
【図１】  歯ブラシの柄の握り手部分を親指と人差し指で支えた状況を示す斜視図である。
【図２】  図１の歯ブラシを垂直面で切り取った断面図を示す。
【図３】  歯ブラシ頭部を示す斜視図である。
【図４】  柄の握り手部分本体を示す斜視図である。
【符号の説明】
【００１３】１；歯ブラシ頭部              ６；柄の握り手部分本体
２；柄の握り手部分            ７；摺動部分
３；親指                      ８；歯ブラシ頭部を着脱するための取り付け口
４；人差し指                  ９；取り付け口の蓋
５；中指
【図１】
2012035019.tif 000003
【図２】
2012035019.tif 000004
【図３】
2012035019.tif 000005
【図４】
2012035019.tif 000006